(57)【要約】【課題】ユーザ認証機能を備え、認証されたユーザに対してのみデータの利用を許可するようにすることによってデータセキュリティの向上を図ること。【解決手段】本発明のリムーバブル記憶装置によれば、予め登録されたユーザの指紋パターンを格納する指紋パターン格納メモリ３と、利用希望者の指紋パターンを取得する指紋パターンスキャン部５と、指紋パターンスキャン部５によって取得された指紋パターンと、指紋パターン格納メモリ３に格納された指紋パターンとを照合し、指紋パターンスキャン部５によって取得された指紋パターンに一致する指紋パターンが、指紋パターン格納メモリ３に格納されている場合には、メモリ２に書き込まれたデータへのアクセスを許可する認証エンジン４とを備えている。【選択図】　図１
2004110382.tif 000002
【特許請求の範囲】
【請求項１】
メモリを備え、計算機に装着されることによって、前記メモリと前記計算機とのデータ交換を行うリムーバブル記憶装置であって、
予め登録されたユーザの指紋パターンを格納する指紋パターン格納手段と、
利用希望者の指紋パターンを取得する指紋パターン取得手段と、
前記指紋パターン取得手段によって取得された指紋パターンと、前記指紋パターン格納手段に格納された指紋パターンとを照合し、前記指紋パターン取得手段によって取得された指紋パターンに一致する指紋パターンが、前記指紋パターン格納手段に格納されている場合には、前記メモリに書き込まれたデータへのアクセスを許可するユーザ認証手段と
を備えたリムーバブル記憶装置。
【請求項２】
メモリを備え、計算機に装着されることによって、前記メモリと前記計算機とのデータ交換を行うリムーバブル記憶装置であって、
予め登録されたユーザ固有の識別情報およびパスワードを格納する識別情報／パスワード格納手段と、
利用希望者から識別情報およびパスワードの入力を受け付ける識別情報／パスワード入力手段と、
前記識別情報／パスワード入力手段に入力された識別情報およびパスワードと、前記識別情報／パスワード格納手段に格納された識別情報およびパスワードとを照合し、前記識別情報／パスワード入力手段に入力された識別情報およびパスワードと、前記識別情報／パスワード格納手段に格納された識別情報およびパスワードとが一致する場合には、前記メモリに書き込まれたデータへのアクセスを許可するユーザ認証手段と
を備えたリムーバブル記憶装置。
【請求項３】
メモリを備え、計算機に装着されることによって、前記メモリと前記計算機とのデータ交換を行うリムーバブル記憶装置であって、
予め登録されたユーザの声紋データを格納する声紋データ格納手段と、
利用希望者の声紋データを取得する声紋データ取得手段と、
前記声紋データ取得手段によって取得された声紋データと、前記声紋データ格納手段に格納された声紋データとを照合する声紋データ照合手段と、
前記声紋データ照合手段による照合の結果、前記声紋データ取得手段によって取得された声紋データに一致する声紋データが、前記声紋パターン格納手段に格納されている場合には、前記メモリに書き込まれたデータへのアクセスを許可するユーザ認証手段と
を備えたリムーバブル記憶装置。
【発明の詳細な説明】
【０００１】
【発明の属する技術分野】
本発明は、例えばフロッピー（登録商標）ディスク、光磁気ディスクなどディスク部分をパソコン等の本体に取り付けることが可能な外部記憶装置であるリムーバブル記憶装置に係り、更に詳しくは、記憶された情報にアクセス可能なユーザを認証するユーザ認証機能を備えたリムーバブル記憶装置に関する。
【０００２】
【従来の技術】
フロッピー（登録商標）ディスク、光磁気ディスクなど、ディスク部分をパソコン等の本体に取り付けたり、あるいは取り外して使用することが可能な外部記憶装置であるリムーバブル記憶装置は、買い足しを行うことによって、廉価で大量にデータを蓄積することができるのみならず、持ち運びに適しているために、データを容易に移動することができるというメリットを有している。
【０００３】
さて、このようなリムーバブル記憶装置を使用する場合には、まずパソコン等の計算機本体（以下、単に「パソコン」と称する）の外部インタフェースに接続する必要がある。パソコンの外部インタフェースにリムーバブル記憶装置が接続されると、リムーバブル記憶装置が接続されたこと、および接続されたリムーバブル記憶装置の形式が、パソコンに搭載されているオペレーティングシステム（以下、「ＯＳ」と称する）によって認識される。これによって、パソコン操作を介してリムーバブル記憶装置にデータを記憶したり、あるいはリムーバブル記憶装置に記憶されているデータを読み出したりすることが可能となる。
【０００４】
上述したようなＯＳによるリムーバブル記憶装置の認識方法としては、様々な方法があるが、リムーバブル記憶装置は、ファイルシステムの論理ドライブとして認識されるか、もしくは、ファイルシステムの論理パーティションとして認識される場合が一般的である。
【０００５】
このようにリムーバブル記憶装置は、パソコンに着脱可能であるために、異なるパソコン間でのデータ交換等に使用される事が多い。そのため、機種の異なるパソコン同士であっても認識されるように、規格統一がなされている。
【０００６】
【発明が解決しようとする課題】
しかしながら、このような従来のリムーバブル記憶装置には、以下のような問題がある。
【０００７】
すなわち、従来のリムーバブル記憶装置は、複数のパソコン間でのデータ交換の相互互換性や利便性について主眼がおかれているものの、その一方で、リムーバブル記憶装置自体に対するセキュリティ対策は存在していない。
【０００８】
例えば、モバイル機器では、特願２００１−３５８８２８号公報に記載されているような指紋認証技術を適用することによって、ユーザ認証を行う技術が開示されている。この種の指紋認証技術はまた、特願２００１−２４３４４４号公報、特願２０００−２９３６８８号公報、特願平１１−３９４８３号公報でも開示されている。
【０００９】
従来のリムーバブル記憶装置は、特願２００１−３５８８２８号公報、特願２００１−２４３４４４号公報、特願２０００−２９３６８８号公報、および特願平１１−３９４８３号公報に記載されているようなセキュリティ対策は講じられていないために、リムーバブル記憶装置が紛失、盗難、あるいは不正利用された場合には、そのデータ互換性の容易さが逆に欠点となり、リムーバブル記憶装置に格納されているデータが第三者によって容易に取り出されることによって流出したり、改竄され悪用されたりする危険性があるという問題がある。
【００１０】
リムーバブル記憶装置に格納されているデータのセキュリティを高めるために、スクランブル（暗号処理）を実施することも可能である。しかしながら、このようなスクランブル処理は、データ１つ１つに対して行う必要があるため、暗号化／復号化の処理を、各パソコン上のＯＳで動作する専用ソフトにて行う必要がある。したがって、複数のパソコンにまたがってリムーバブル記憶装置を利用する場合は、各パソコン毎に専用ソフトをインストールしておく必要がある。更に、仮にスクランブルを実施したとしても、スクランブル処理されたデータ自体へのアクセスを阻止することはできない。したがって、時間をかければ暗号解読を行う事は可能であるため、完全なセキュリティ対策とはなり得ない。
【００１１】
本発明はこのような事情に鑑みてなされたものであり、ユーザ認証機能を備え、認証されたユーザに対してのみデータの利用を許可するようにすることによってデータセキュリティの向上を図り、もって、第三者によるデータ取得を阻止することが可能なユーザ認証機能を備えたリムーバブル記憶装置を提供することを目的とする。
【００１２】
【課題を解決するための手段】
上記の目的を達成するために、本発明では、以下のような手段を講じる。
【００１３】
すなわち、請求項１の発明は、メモリを備え、計算機に装着されることによって、メモリと計算機とのデータ交換を行うリムーバブル記憶装置であって、予め登録されたユーザの指紋パターンを格納する指紋パターン格納手段と、利用希望者の指紋パターンを取得する指紋パターン取得手段と、指紋パターン取得手段によって取得された指紋パターンと、指紋パターン格納手段に格納された指紋パターンとを照合し、指紋パターン取得手段によって取得された指紋パターンに一致する指紋パターンが、指紋パターン格納手段に格納されている場合には、メモリに書き込まれたデータへのアクセスを許可するユーザ認証手段とを備えている。
【００１４】
従って、請求項１の発明のリムーバブル記憶装置においては、以上のような手段を講じることにより、指紋パターンを照合することにより、ユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００１５】
請求項２の発明は、メモリを備え、計算機に装着されることによって、メモリと計算機とのデータ交換を行うリムーバブル記憶装置であって、予め登録されたユーザ固有の識別情報およびパスワードを格納する識別情報／パスワード格納手段と、利用希望者から識別情報およびパスワードの入力を受け付ける識別情報／パスワード入力手段と、識別情報／パスワード入力手段に入力された識別情報およびパスワードと、識別情報／パスワード格納手段に格納された識別情報およびパスワードとを照合し、識別情報／パスワード入力手段に入力された識別情報およびパスワードと、識別情報／パスワード格納手段に格納された識別情報およびパスワードとが一致する場合には、メモリに書き込まれたデータへのアクセスを許可するユーザ認証手段とを備えている。
【００１６】
従って、請求項２の発明のリムーバブル記憶装置においては、以上のような手段を講じることにより、識別情報とパスワードとを照合することにより、ユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００１７】
請求項３の発明は、メモリを備え、計算機に装着されることによって、メモリと計算機とのデータ交換を行うリムーバブル記憶装置であって、予め登録されたユーザの声紋データを格納する声紋データ格納手段と、利用希望者の声紋データを取得する声紋データ取得手段と、声紋データ取得手段によって取得された声紋データと、声紋データ格納手段に格納された声紋データとを照合する声紋データ照合手段と、声紋データ照合手段による照合の結果、声紋データ取得手段によって取得された声紋データに一致する声紋データが、声紋パターン格納手段に格納されている場合には、メモリに書き込まれたデータへのアクセスを許可するユーザ認証手段とを備えている。
【００１８】
従って、請求項３の発明のリムーバブル記憶装置においては、以上のような手段を講じることにより、声紋パターンを照合することにより、ユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００１９】
【発明の実施の形態】
以下に、本発明の各実施の形態について図面を参照しながら説明する。
【００２０】
（第１の実施の形態）
本発明の第１の実施の形態を図１から図３を用いて説明する。
【００２１】
図１は、第１の実施の形態に係るリムーバブル記憶装置１の一例を示す構成概念図であって、ＰＣＭＣＩＡカードタイプのリムーバブル記憶装置の構成例を示している。
【００２２】
すなわち、本実施の形態に係るリムーバブル記憶装置１は、メモリ２と、指紋パターン格納メモリ３と、認識エンジン４と、指紋パターンスキャン部５とを備えている。本実施の形態に係るリムーバブル記憶装置１は、これらのうち、メモリ２と、指紋パターン格納メモリ３と、認識エンジン４とについては、本体１０の内部に収納している。また、指紋パターンスキャン部５については、通常は本体１０の内部に収納しているが、指紋パターンをスキャンする場合には、指紋パターンをスキャニングするセンサ部６が、本体１０から露出するようにスライド移動できるようにしている。そして、コネクタ部７をパソコン側のインタフェース９に接続することによって、パソコンとの接続がなされるようにしている。
【００２３】
メモリ２は、データを記憶する記憶領域であって、後述するようにリムーバブル記憶装置１が図示しないパソコンに接続され、更にユーザ認証がなされた場合には、このパソコンによってデータが記憶されたり、記憶されているデータがパソコンによって取り出される。
【００２４】
指紋パターン格納メモリ３は、このリムーバブル記憶装置１のユーザとしてユーザ登録されたユーザの指紋パターンを格納しておく記憶領域である。ユーザが自己の指紋パターンを指紋パターン格納メモリ３に格納することによってユーザ登録する場合には、まず、コネクタ部７をパソコン側のインタフェース９に接続する。これによって、パソコンから指紋パターンスキャン部５に対して、指紋パターンスキャン部５が動作するための駆動電力が供給されるようにしている。次に、指紋パターンスキャン部５のセンサ部６を本体１０から露出させ、センサ部６を所定の指（例えば右人差し指）で押圧する。センサ部６には、市販されている指紋読取素子等を用いる。センサ部６は、押圧された指から指紋パターンを取得し、取得した指紋パターンを指紋パターン格納メモリ３に格納する。これによってユーザ登録が完了し、以降は、以下に説明するようにして、登録されたユーザのみがメモリ２に記憶されたデータにアクセスすることが可能となるようにしている。
【００２５】
すなわち、ユーザ登録が既になされたリムーバブル記憶装置１の利用希望者は、まず、コネクタ部７をパソコン側のインタフェース９に接続する。これによって、パソコンから指紋パターンスキャン部５に対して、指紋パターンスキャン部５が動作するための駆動電力が供給されるようにしている。次に、指紋パターンスキャン部５のセンサ部６を本体１０から露出させ、本体１０から露出したセンサ部６を指で押圧する。この指は、ユーザ登録時に指紋パターンを登録した指と同一の指（例えば右人差し指）とする。
【００２６】
センサ部６は、押圧された指から利用希望者の指紋パターンを取得し、取得した指紋パターンを認識エンジン４へと出力する。認識エンジン４は、センサ部６から出力された利用希望者の指紋パターンと、指紋パターン格納メモリ３に格納された登録されたユーザの指紋パターンとを照合する。そして、照合の結果、両指紋パターンが一致する場合には、この利用希望者は、ユーザ登録されたユーザと同一人物であると判定し、メモリ２に記憶されたデータへのアクセスを許可する。これによって、ユーザは、メモリ２に記憶されたデータを取得したり、あるいは、新たなデータのメモリ２への書き込みが可能になるようにしている。
【００２７】
次に、以上のように構成した本実施の形態に係るリムーバブル記憶装置１の動作について、図２に示すフローチャートを用いて説明する。なお、ここでは、ユーザ登録がなされ、ユーザ登録されたユーザの指紋パターンは、指紋パターン格納メモリ３に既に格納されているものとする。
【００２８】
本実施の形態に係るリムーバブル記憶装置１を使用する場合には、まず、コネクタ部７を、パソコン側のインタフェース９に接続する（Ｓ１）。このようにリムーバブル記憶装置１が図示しないパソコンに接続されると、インタフェース９を介してパソコン側から指紋パターンスキャン部５に対して、指紋パターンスキャン部５が動作するための駆動電力が供給され、リムーバブル記憶装置１は、指紋スキャナとして動作するようになる（Ｓ２）。
【００２９】
次に、指紋パターンスキャン部５のセンサ部６を本体１０から露出させ、センサ部６を指で押圧する。これによって、押圧された指の指紋パターンがセンサ部６によってスキャニングされ、スキャニングにより取得された指紋パターンが、認識エンジン４へと出力される（Ｓ３）。
【００３０】
認識エンジン４では、センサ部６から出力された指紋パターンと、指紋パターン格納メモリ３に格納された指紋パターンとが照合される。この指紋パターン格納メモリ３には、ユーザ登録されたユーザの指紋パターンが予め格納されている。そして、照合の結果、両指紋パターンが一致する場合（Ｓ４：Ｙｅｓ）には、ユーザ登録されたユーザであると判定され、メモリ２に記憶されたデータへのアクセスができるようにリムーバブル記憶装置１が動作する（Ｓ５）。更に、パソコンに搭載されているＯＳによってメディアとして認識され（Ｓ６）、ユーザは、リムーバブル記憶装置１を、論理ドライブもしくは論理パーティションとして使用することができるようになり、メモリ２に記憶されたデータを取得したり、あるいは、新たなデータのメモリ２への書き込みができるようになる（Ｓ７）。
【００３１】
上述したように、本実施の形態に係るリムーバブル記憶装置１においては、上記のような作用により、指紋パターンを照合することにより、ユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００３２】
また、上述したようなユーザ認証に係る処理は、すべてリムーバブル記憶装置１側で行い、パソコン側では一切行わない。このため、パソコン側に指紋データを記憶させたり、あるいは専用のソフトウェアを一切搭載する必要がないために、従来同様に不特定多数のパソコンで利用することが可能となる。また、ＯＳに依存することもなく、使い勝手が悪くなることはない。
【００３３】
更に、指紋パターンをパソコン側で記憶しないことは、リムーバブル記憶装置１とパソコンとの間での指紋データの送受信を行わないことから、リムーバブル記憶装置１とパソコンとの間での指紋データのスニッフィング（盗み見）も不可能となる。これによって、耐タンパー性（分解、解析、改造等による不正行為に対する耐性）の向上を図ることが可能となる。
【００３４】
なお、図３は、ＵＳＢインタフェースタイプのリムーバブル記憶装置１１の構成例を示している。ＵＳＢインタフェースタイプのリムーバブル記憶装置１１は、その本体１２の形状が、ＰＣＭＣＩＡカードタイプのリムーバブル記憶装置の本体１０の形状と異なる。また、指紋パターンスキャン部５のセンサ部６が表面に取り付けられており、本体１２の内部に収納されていないために、ＰＣＭＣＩＡカードタイプのリムーバブル記憶装置１のように本体１０からセンサ部６を抜き出して露出させなくても指紋パターンを取得できるという点で、その構成を異としている。しかしながら、実質的な機能構成は同じであり、上述した作用効果と同等の作用効果を奏することができる。
【００３５】
（第２の実施の形態）
本発明の第２の実施の形態を図４から図６を用いて説明する。
【００３６】
図４は、第２の実施の形態に係るリムーバブル記憶装置１４の一例を示す構成概念図であって、ＰＣＭＣＩＡカードタイプのリムーバブル記憶装置の構成例を示している。
【００３７】
すなわち、本実施の形態に係るリムーバブル記憶装置１４は、メモリ２と、パスワード格納メモリ１５と、認識エンジン１６と、キーボード部１７とを備えている。本実施の形態に係るリムーバブル記憶装置１４は、これらのうち、メモリ２と、パスワード格納メモリ１５と、認識エンジン１６とについては、本体１０の内部に収納している。また、キーボード部１７については、通常は本体１０の内部に収納しているが、キーボードからユーザの認識情報であるＩＤ番号、およびパスワードを入力する場合には、ユーザがキーボード入力できるようにキー部分が本体１０から露出するようにスライド移動できるようにしている。そして、コネクタ部７をパソコン側のインタフェース９に接続することによって、パソコンとの接続がなされるようにしている。
【００３８】
メモリ２は、第１の実施の形態で説明したものと同様であるのでその説明を省略する。
【００３９】
パスワード格納メモリ１５は、このリムーバブル記憶装置１４のユーザとしてユーザ登録されたユーザのＩＤ番号およびパスワードを格納しておく記憶エリアである。ユーザがユーザ登録する場合には、まず、コネクタ部７をパソコン側のインタフェース９に接続する。これによって、パソコンからキーボード部１７に対して、キーボード部１７が動作するための駆動電力が供給されるようにしている。次に、ユーザがキーボード入力できるように、キーボード部１７のキー部分を本体１０から露出させ、ユーザが所定のキーを押圧することによってＩＤ番号およびパスワードを入力する。ＩＤ番号は、例えば、このリムーバブル記憶装置１４の購入時に、販売者が購入者に対して通知する。あるいは、リムーバブル記憶装置１４の取扱説明書あるいは保証書に印字することによって通知しても良い。パスワードは、ユーザが任意に設定でき、ユーザ登録時には、確認のために２回以上同一の入力がなされた場合に、この入力されたパスワードを、ＩＤ番号とともにパスワード格納メモリ１５に格納する。これによってユーザ登録が完了し、以降は、以下に説明するようにして、登録されたユーザのみがメモリ２に記憶されたデータにアクセスすることが可能となるようにしている。
【００４０】
すなわち、ユーザ登録が既になされたリムーバブル記憶装置１４を利用する利用希望者は、まず、コネクタ部７をパソコン側のインタフェース９に接続する。これによって、図示しないパソコンからキーボード部１７に対して、キーボード部１７に駆動電力が供給されるようにしている。次に、キーボード部１７のキー部分を本体１０から露出させ、露出したキーを押圧することによってＩＤ番号およびパスワードを入力する。
【００４１】
キーボード部１７は、このようにして入力されたＩＤ番号およびパスワードを認識エンジン１６へと出力する。認識エンジン１６は、キーボード部１７から出力されたＩＤ番号およびパスワードを、パスワード格納メモリ１５に格納されたＩＤ番号およびパスワードと照合する。そして、照合の結果、ＩＤ番号とパスワードとが一致する場合には、この利用希望者は、ユーザ登録されたユーザと同一人物であると判定し、メモリ２に記憶されたデータへのアクセスを許可する。これによって、ユーザは、メモリ２に記憶されたデータを取得したり、あるいは、新たなデータのメモリ２への書き込みが可能になるようにしている。
【００４２】
次に、以上のように構成した本実施の形態に係るリムーバブル記憶装置１４の動作について、図５に示すフローチャートを用いて説明する。なお、ここでは、ユーザ登録がなされ、ユーザ登録されたユーザのＩＤ番号およびパスワードは、パスワード格納メモリ１５に既に格納されているものとする。
【００４３】
本実施の形態に係るリムーバブル記憶装置１４を使用する場合には、まず、コネクタ部７を、パソコン側のインタフェース９に接続する（Ｓ１１）。このようにリムーバブル記憶装置１４が図示しないパソコンに接続されると、インタフェース９を介してパソコン側からキーボード部１７に対して、キーボード部１７に駆動電力が供給され、リムーバブル記憶装置１４は、ＩＤ番号およびパスワードを入力する装置として動作するようになる（Ｓ１２）。
【００４４】
次に、キーボード部１７のキー部分を本体１０から露出させ、所定のキーを押圧することによってＩＤ番号およびパスワードを入力する。これによって、入力されたＩＤ番号およびパスワードが認識エンジン１６へと出力される（Ｓ１３）。
【００４５】
認識エンジン１６では、キーボード部１７から出力されたＩＤ番号およびパスワードと、パスワード格納メモリ１５に格納されたＩＤ番号およびパスワードとが照合される。このパスワード格納メモリ１５には、ユーザ登録されたユーザのＩＤ番号およびパスワードが予め格納されている。そして、照合の結果、両ＩＤ番号およびパスワードが一致する場合（Ｓ１４：Ｙｅｓ）には、ユーザ登録されたユーザであると判定され、メモリ２に記憶されたデータへのアクセスができるようにリムーバブル記憶装置１４が動作する（Ｓ１５）。更に、パソコンに搭載されているＯＳによってメディアとして認識され（Ｓ１６）、ユーザは、リムーバブル記憶装置１４を、論理ドライブもしくは論理パーティションとして使用することができるようになり、メモリ２に記憶されたデータを取得したり、あるいは、新たなデータのメモリ２への書き込みができるようになる（Ｓ１７）。
【００４６】
上述したように、本実施の形態に係るリムーバブル記憶装置１４においては、上記のような作用により、ＩＤ番号およびパスワードを照合することによりユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００４７】
また、上述したようなユーザ認証に係る処理は、すべてリムーバブル記憶装置１側で行い、パソコン側では一切行わない。このため、パソコン側にＩＤ番号およびパスワードを記憶させたり、あるいは専用のソフトウェアを一切搭載する必要がないために、従来同様に不特定多数のパソコンで利用することが可能となる。また、ＯＳに依存することもなく、使い勝手が悪くなることはない。
【００４８】
更に、ＩＤ番号およびパスワードをパソコン側で記憶しないことは、リムーバブル記憶装置１４とパソコンとの間でのＩＤ番号およびパスワードの送受信を行わないことから、リムーバブル記憶装置１４とパソコンとの間でのＩＤ番号およびパスワードのスニッフィング（盗み見）も不可能となる。これによって、耐タンパー性（分解、解析、改造等による不正行為に対する耐性）の向上を図ることが可能となる。
【００４９】
なお、図６は、ＵＳＢインタフェースタイプのリムーバブル記憶装置１８の構成例を示している。ＵＳＢインタフェースタイプのリムーバブル記憶装置１８は、その本体１２の形状が、ＰＣＭＣＩＡカードタイプのリムーバブル記憶装置１４の本体１０の形状と異なる。また、キーボード部１７が表面に取り付けられており、本体１２の内部に収納されていないために、ＰＣＭＣＩＡカードタイプのリムーバブル記憶装置１４のように本体１０からキーボード部１７をスライドさせることによってキー部分を露出させなくてもユーザは、ＩＤ番号およびパスワードを入力することができるという点で、その構成を異としている。しかしながら、実質的な機能構成は同じであり、上述した作用効果と同等の作用効果を奏することができる。
【００５０】
（第３の実施の形態）
本発明の第３の実施の形態を図７から図９を用いて説明する。
【００５１】
図７は、第３の実施の形態に係るリムーバブル記憶装置２０の一例を示す構成概念図であって、ＰＣＭＣＩＡカードタイプのリムーバブル記憶装置の構成例を示している。
【００５２】
すなわち、本実施の形態に係るリムーバブル記憶装置２０は、メモリ２と、声紋パターン格納メモリ２２と、認識エンジン２４と、声紋変換部２６とを備えている。本実施の形態に係るリムーバブル記憶装置２０は、これらのうち、メモリ２と、声紋パターン格納メモリ２２と、認識エンジン２４とについては、本体１０の内部に収納している。また、声紋変換部２６については、通常は本体１０の内部に収納しているが、声音データを集音する場合には、集音部２７が効果的に声音データを集音できるように本体１０からスライド移動し、露出できるような構成にしている。そして、コネクタ部７をパソコン側のインタフェース９に接続することによって、パソコンとの接続がなされるようにしている。
【００５３】
メモリ２は、第１の実施の形態で説明したものと同様であるのでその説明を省略する。
【００５４】
声紋パターン格納メモリ２２は、このリムーバブル記憶装置１のユーザとしてユーザ登録されたユーザの声紋パターンを格納しておく記憶エリアである。ユーザが自己の声紋パターンを声紋パターン格納メモリ２２に格納することによってユーザ登録する場合には、まず、コネクタ部７をパソコン側のインタフェース９に接続する。これによって、パソコンから声紋変換部２６に対して駆動電力が供給されるようにしている。
【００５５】
次に、声紋変換部２６の集音部２７を本体１０から露出させ、利用希望者は、集音部２７に向けて発声する。集音部２７には、一般に市販されているマイク等を用いる。集音部２７は、発声音を集音すると、声紋変換部２６は、この発声音データに基づいて声紋パターンを抽出し、抽出した声紋パターンを声紋パターン格納メモリ２２に格納する。これによってユーザ登録が完了し、以降は、以下に説明するようにして、登録されたユーザのみがメモリ２に記憶されたデータにアクセスすることが可能となるようにしている。
【００５６】
すなわち、ユーザ登録が既になされたリムーバブル記憶装置２０を利用する利用希望者は、まず、コネクタ部７をパソコン側のインタフェース９に接続する。これによって、パソコンから声紋変換部２６に対して駆動電力が供給されるようにしている。次に、声紋変換部２６の集音部２７を本体１０から露出させ、利用希望者が、本体１０から露出した集音部２７に向けて発声する。集音部２７は、発声音を集音し、声紋変換部２６は、集音した発声音データに基づいて声紋パターンを抽出し、抽出した声紋パターンを認識エンジン４へと出力する。
【００５７】
認識エンジン４は、声紋変換部２６から出力された声紋データと、声紋パターン格納メモリ２２に格納された登録されたユーザの声紋パターンとを照合する。そして、照合の結果、両声紋パターンが一致する場合には、この利用希望者は、ユーザ登録されたユーザと同一人物であると判定し、メモリ２に記憶されたデータへのアクセスを許可する。これによって、ユーザは、メモリ２に記憶されたデータを取得したり、あるいは、新たなデータのメモリ２への書き込みが可能になるようにしている。
【００５８】
次に、以上のように構成した本実施の形態に係るリムーバブル記憶装置２０の動作について、図８に示すフローチャートを用いて説明する。なお、ここでは、ユーザ登録がなされ、ユーザ登録されたユーザの声紋パターンは、声紋パターン格納メモリ２２に既に格納されているものとする。
【００５９】
本実施の形態に係るリムーバブル記憶装置２０を使用する場合には、まず、コネクタ部７を、パソコン側のインタフェース９に接続する（Ｓ２１）。このようにリムーバブル記憶装置１が図示しないパソコンに接続されると、インタフェース９を介してパソコン側から声紋変換部２６に対して駆動電力が供給され、リムーバブル記憶装置２０は、声紋データ取得装置として動作するようになる（Ｓ２２）。
【００６０】
次に、声紋変換部２６の集音部２７を本体１０から露出させ、利用者は集音部２７に対して発声する。これによって、利用者の発声音が集音部２７によって集音され、更に声紋変換部２６によって集音した発声音データに基づいて、声紋パターンが抽出される。この声紋パターンは、声紋変換部２６から認識エンジン４へと出力される（Ｓ２３）。
【００６１】
認識エンジン４では、声紋変換部２６から出力された声紋パターンと、声紋パターン格納メモリ２２に格納された声紋パターンとが照合される。この声紋パターン格納メモリ２２には、ユーザ登録されたユーザの声紋パターンが予め格納されている。そして、照合の結果、両声紋パターンが一致する場合（Ｓ２４：Ｙｅｓ）には、ユーザ登録されたユーザであると判定され、メモリ２に記憶されたデータへのアクセスができるようにリムーバブル記憶装置２０が動作する（Ｓ２５）。更に、パソコンに搭載されているＯＳによってメディアとして認識され（Ｓ２６）、ユーザは、リムーバブル記憶装置２０を、論理ドライブもしくは論理パーティションとして使用することができるようになり、メモリ２に記憶されたデータを取得したり、あるいは、新たなデータのメモリ２への書き込みができるようになる（Ｓ２７）。
【００６２】
上述したように、本実施の形態に係るリムーバブル記憶装置２０においては、上記のような作用により、声紋パターンを照合することにより、ユーザ認証を行い、認証されたユーザのみがメモリに書き込まれたデータへアクセスすることができる。その結果、第三者によるデータの閲覧、改ざん、および盗難を防ぐことができ、データのセキュリティを確保する事が可能となる。
【００６３】
また、上述したようなユーザ認証に係る処理は、すべてリムーバブル記憶装置１側で行い、パソコン側では一切行わない。このため、パソコン側に声紋データを記憶させたり、あるいは専用のソフトウェアを一切搭載する必要がないために、従来同様に不特定多数のパソコンで利用することが可能となる。また、ＯＳに依存することもなく、使い勝手が悪くなることはない。
【００６４】
更に、声紋パターンをパソコン側で記憶しないことは、リムーバブル記憶装置２０とパソコンとの間での声紋データの送受信を行わないことから、リムーバブル記憶装置２０とパソコンとの間での声紋データのスニッフィング（盗み見）も不可能となる。これによって、耐タンパー性（分解、解析、改造等による不正行為に対する耐性）の向上を図ることが可能となる。
【００６５】
なお、図９は、ＵＳＢインタフェースタイプのリムーバブル記憶装置２８の構成例を示している。ＵＳＢインタフェースタイプのリムーバブル記憶装置２８は、その本体１２の形状が、ＰＣＭＣＩＡカードタイプのリムーバブル記憶装置２０の本体１０の形状と異なる。また、集音部２７が表面に取り付けられており、本体１２の内部に収納されていないために、ＰＣＭＣＩＡカードタイプのリムーバブル記憶装置２０のように声紋変換部２６をスライドさせることによって本体１０から集音部２７を抜き出して露出させなくても声紋パターンを取得できるという点で、その構成を異としている。しかしながら、実質的な機能構成は同じであり、上述した作用効果と同等の作用効果を奏することができる。
【００６６】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００６７】
【発明の効果】
以上説明したように、本発明によれば、ユーザ認証機能を備え、認証されたユーザに対してのみデータの利用を許可するようにすることによってデータセキュリティの向上を図ることができる。
【００６８】
以上により、第三者によるデータ取得を阻止することが可能なユーザ認証機能を備えたリムーバブル記憶装置を実現することができる。
【図面の簡単な説明】
【図１】第１の実施の形態に係るリムーバブル記憶装置（ＰＣＭＣＩＡカードタイプ）の一例を示す構成概念図
【図２】第１の実施の形態に係るリムーバブル記憶装置の動作を示すフローチャート
【図３】第１の実施の形態に係るリムーバブル記憶装置（ＵＳＢインタフェースタイプ）の別の一例を示す構成概念図
【図４】第２の実施の形態に係るリムーバブル記憶装置（ＰＣＭＣＩＡカードタイプ）の一例を示す構成概念図
【図５】第２の実施の形態に係るリムーバブル記憶装置の動作を示すフローチャート
【図６】第２の実施の形態に係るリムーバブル記憶装置（ＵＳＢインタフェースタイプ）の別の一例を示す構成概念図
【図７】第３の実施の形態に係るリムーバブル記憶装置（ＰＣＭＣＩＡカードタイプ）の一例を示す構成概念図
【図８】第２の実施の形態に係るリムーバブル記憶装置の動作を示すフローチャート
【図９】第２の実施の形態に係るリムーバブル記憶装置（ＵＳＢインタフェースタイプ）の別の一例を示す構成概念図
【符号の説明】
１，１１，１４，１８，２０，２８…リムーバブル記憶装置
２…メモリ
３…指紋パターン格納メモリ
４，１６，２４…認識エンジン
５…指紋パターンスキャン部
６…センサ部
７…コネクタ部
９…インタフェース
１０，１２…本体
１５…パスワード格納メモリ
１７…キーボード部
２２…声紋パターン格納メモリ
２６…声紋変換部
２７…集音部
【図１】
2004110382.tif 000003
【図２】
2004110382.tif 000004
【図３】
2004110382.tif 000005
【図４】
2004110382.tif 000006
【図５】
2004110382.tif 000007
【図６】
2004110382.tif 000008
【図７】
2004110382.tif 000009
【図８】
2004110382.tif 000010
【図９】
2004110382.tif 000011